(57)【要約】【課題】空気調和機の内部にあるドレンパンなどの洗浄対象を空気調和機から取り外さずとも、洗浄対象に付着した汚れを洗浄する装置及び方法を得る。【解決手段】空気調和機の内部を洗浄する洗浄装置であって、空気調和機の外部から内部へ挿入されるブラシ部と、直線状に延びる部分を有する保持部と、保持部の直線状の部分の延びる方向と交差する方向にブラシ部の先端を向けて、ブラシ部と保持部とを連結する連結部とを備える。【選択図】図１
2019155306.tif 000002
【特許請求の範囲】
【請求項１】
空気調和機の内部を洗浄する洗浄装置であって、
前記空気調和機の外部から内部へ挿入されるブラシ部と、
直線状に延びる部分を有する保持部と、
前記保持部の直線状の部分の延びる方向と交差する方向に前記ブラシ部の先端を向けて、前記ブラシ部と前記保持部とを連結する連結部と
を備える空気調和機の洗浄装置。
【請求項２】
前記ブラシ部を振動させる振動部を備えた
請求項１に記載の空気調和機の洗浄装置。
【請求項３】
前記振動部は、前記連結部に配置されている
請求項２に記載の空気調和機の洗浄装置。
【請求項４】
前記ブラシ部は、芯材と、前記芯材から突出するブラシとを有し、
前記ブラシは、前記振動部と接するようにして前記芯材から突出している
請求項２又は請求項３に記載の空気調和機の洗浄装置。
【請求項５】
前記連結部は、湾曲している
請求項１〜請求項４のいずれか一項に記載の空気調和機の洗浄装置。
【請求項６】
吸引チューブと、前記吸引チューブの端部に吸引力を生じさせる吸引部とを有する回収装置を備えた
請求項１〜請求項５のいずれか一項に記載の空気調和機の洗浄装置。
【請求項７】
給水チューブと、前記給水チューブに水を送る給水部とを有する給水装置を備えた
請求項１〜請求項６のいずれか一項に記載の空気調和機の洗浄装置。
【請求項８】
前記空気調和機の外部から内部へ挿入される撮影装置を有し、前記撮影装置を介して前記空気調和機の外部から内部を観察する観察装置を備えた
請求項１〜請求項７のいずれか一項に記載の空気調和機の洗浄装置。
【請求項９】
空気調和機の内部を、洗浄装置を用いて前記空気調和機の外部から洗浄する洗浄方法であって、
前記洗浄装置は、
ブラシ部と、
直線状に延びる保持部と、
前記保持部の延びる方向と交差する方向に前記ブラシ部の先端を向けて、前記ブラシ部と前記保持部とを連結する連結部とを備え、
前記洗浄方法は、
前記ブラシ部を前記空気調和機の外部から内部へ挿入する工程と、
前記空気調和機の内部へ挿入された前記ブラシ部を振動させる工程とを含む
空気調和機の洗浄方法。
【請求項１０】
前記洗浄装置は、前記ブラシ部を振動させる振動部を有し、
前記ブラシ部を振動させる工程は、前記振動部に動力を供給する工程を含む
請求項９に記載の空気調和機の洗浄方法。
【請求項１１】
前記振動部は、前記連結部に配置されている
請求項１０に記載の空気調和機の洗浄方法。
【発明の詳細な説明】
【技術分野】
【０００１】
この発明は、空気調和機の内部を洗浄する洗浄装置及び洗浄方法に関する。
【背景技術】
【０００２】
空気調和機の室内側装置の筐体には、空気中に含まれる塵又は埃などが内部部品に取り込まれないようにエアーフィルターが備わっている。微細な塵又は埃などの汚れがエアーフィルターを通り抜けた場合、その塵又は埃などの汚れは、筐体に設けられたドレンパンの内部に堆積してしまう。堆積した汚れは、ドレンパン内の流路又はドレンポンプの閉塞、若しくは異臭などの原因になるため、メンテナンス業者による定期的なドレンパンの洗浄が必要である。
【０００３】
ドレンパンの汚れを洗浄する作業は、一般的に、室内側装置の筐体からドレンパンを取り外して行われる。このようなドレンパンの取り外しによる作業負荷増大を考慮し、特許文献１は、室内側装置の筐体から取り外すことなくドレンパンを洗浄するような装置を開示している。
【先行技術文献】
【特許文献】
【０００４】
【特許文献１】実用新案登録第３２０４５６３号公報（第５頁）
【発明の概要】
【発明が解決しようとする課題】
【０００５】
特許文献１は、駆動ポンプの一端を接続したフレキシブルな給水ホースの先端に伸縮自在な伸縮パイプを着脱自在に取り付け、この伸縮パイプの先端に給水ノズルを設けた装置を開示している。特許文献１の装置は、給水ノズルからの水流を用いてドレンパンに固着した汚れを除去する。しかし、特許文献１の装置は、ドレンパンから跳ね返った水しぶきが室内側装置の外に飛散して、漏水の原因になる虞がある。また、漏水を抑制するために水流を弱めてドレンパンに供給した場合、ドレンパンに付着した汚れを十分に除去できない虞がある。
【０００６】
本発明は、上記のような課題を背景としてなされたものであり、空気調和機の内部にあるドレンパンなどの洗浄対象を空気調和機から取り外さずとも、空気調和機の内部の洗浄対象に付着した汚れを洗浄する装置及び方法を提供するものである。
【課題を解決するための手段】
【０００７】
本発明の空気調和機の洗浄装置は、空気調和機の内部を洗浄する洗浄装置であって、前記空気調和機の外部から内部へ挿入されるブラシ部と、直線状に延びる部分を有する保持部と、前記保持部の直線状の部分の延びる方向と交差する方向に前記ブラシ部の先端を向けて、前記ブラシ部と前記保持部とを連結する連結部とを備えるものである。
【０００８】
本発明の空気調和機の洗浄方法は、空気調和機の内部を、洗浄装置を用いて前記空気調和機の外部から洗浄する洗浄方法であって、前記洗浄装置は、ブラシ部と、直線状に延びる保持部と、前記保持部の延びる方向と交差する方向に前記ブラシ部の先端を向けて、前記ブラシ部と前記保持部とを連結する連結部とを備え、前記洗浄方法は、前記ブラシ部を前記空気調和機の外部から内部へ挿入する工程と、前記空気調和機の内部へ挿入された前記ブラシ部を振動させる工程とを含むものである。
【発明の効果】
【０００９】
本発明によれば、作業者は、保持部を把持した状態でブラシ部を空気調和機の外部から内部へと挿入し、保持部を動かすことによってブラシ部で空気調和機の内部の洗浄対象を洗浄することができる。このため、漏水を抑制しつつ、空気調和機から例えばドレンパンなどの洗浄対象を取り外すことなく、空気調和機の内部の洗浄対象を洗浄できる。
【図面の簡単な説明】
【００１０】
【図１】実施の形態１に係る洗浄装置１００の使用状態を説明する図である。
【図２】実施の形態１に係る洗浄装置１００の構成を説明する図である。
【図３】実施の形態１に係るブラシ部１１の構成例を説明する図である。
【図４】実施の形態１に係る保持部１０、ブラシ部１１及び連結部１２の構成例を示す図である。
【図５】実施の形態１に係る振動部１３の構成例を説明する図である。
【図６】実施の形態２に係る洗浄装置１００Ａの構成及び使用状態を説明する図である。
【図７】実施の形態３に係る洗浄装置１００Ｂの構成及び使用状態を説明する図である。
【図８】実施の形態４に係る洗浄装置１００Ｃの構成及び使用状態を説明する図である。
【発明を実施するための形態】
【００１１】
以下、本発明に係る空気調和機の洗浄装置及び洗浄方法を、いわゆる天井カセット形の空気調和機の室内側装置のドレンパンの洗浄に適用した実施の形態を、図面を参照して説明する。本発明は、以下の実施の形態に限定されるものではなく、本発明の主旨を逸脱しない範囲で種々に変形することが可能である。また、本発明は、以下の各実施の形態に示す構成のうち、組合せ可能な構成のあらゆる組合せを含むものである。また、実施の形態に示す、洗浄装置及び洗浄方法の洗浄対象であるドレンパン及び空気調和機の構成は、本発明を限定するものではない。また、以下の説明において、理解を容易にするために方向を表す用語（例えば「上」、「下」、「右」、「左」、「前」、「後」など）を適宜用いるが、これらは説明のためのものであって、本発明を限定するものではない。また、各図において、同一の符号を付したものは、同一の又はこれに相当するものであり、これは明細書の全文において共通している。なお、各図面では、各構成部材の相対的な寸法関係又は形状などが実際のものとは異なる場合がある。
【００１２】
実施の形態１．
（システム構成）
図１は、実施の形態１に係る洗浄装置１００の使用状態を説明する図である。図１では、洗浄装置１００の洗浄対象である空気調和機の室内側装置のドレンパン１を併せて図示している。図１に例示したドレンパン１は、天井に埋め込まれて使用される天井カセット形の室内側装置の、設置状態における下側に設置される。ドレンパン１の上側には、熱交換器、送風機及びこれらを収容する筐体が配置されることになる。筐体とドレンパン１とで、室内側装置の外郭を構成する。図１は、設置状態のドレンパン１を斜め上から見た図である。室内側装置の筐体が天井に設置されている状態では、図１に示されたドレンパン１の上面は、室内側装置の内部にあって室内には露出していない状態となる。
【００１３】
ドレンパン１は、吹出口２と、ドレンパン溝３と、ドレン口４とを有する。吹出口２は、ドレンパン１を上下に貫通する開口である。本実施の形態では、概ね矩形状のドレンパン１の四辺のそれぞれに吹出口２が設けられており、四方向に空気が吹き出される。ドレンパン溝３は、ドレンパン１の内面、すなわちドレンパン１の設置状態における上面に形成された溝で構成されている。本実施の形態のドレンパン溝３は、吹出口２よりもドレンパン１の内周側に、概ねドレンパン１の外形に沿った形状で設けられている。ドレン口４は、ドレンパン溝３に形成された上下に貫通する穴であり、ドレン水をドレンパン１の外部へ排出するためのものである。ドレン口４には、蓋が取り付けられる。
【００１４】
洗浄装置１００は、ドレンパン１の外部から、ドレンパン１の内部にあるドレンパン溝３を洗浄するための装置である。図１に示すように、洗浄装置１００の一部が、ドレンパン１の下側から吹出口２を介してドレンパン１の内部にあるドレンパン溝３に挿入され、この挿入された部分によってドレンパン溝３が洗浄される。
【００１５】
（洗浄装置の構成）
図２は、実施の形態１に係る洗浄装置１００の構成を説明する図である。洗浄装置１００は、ドレンパン１の外部から内部へ挿入されるブラシ部１１と、直線状に延びる部分を有する保持部１０と、ブラシ部１１と保持部１０とを連結する連結部１２とを備える。本実施の形態では、さらに好ましい態様として、洗浄装置１００は、振動部１３と、持ち手部１４とを備える。
【００１６】
保持部１０は、直線状に延びる部分を有し、ブラシ部１１と連結部１２とを支持する。保持部１０は、洗浄装置１００が使用される際に、吹出口２からブラシ部１１をドレンパン１の内部に挿入させる機能を備える。保持部１０は、柄として機能できるように少なくとも一部に直線状の部分を有する。ここでいう直線状の部分とは、保持部１０の中心軸が直線状になっている部分をいい、例えば保持部１０の表面に凹凸が形成されていてもよいし、保持部１０の一部の太さが異なっていてもよい。また、図２の例では、保持部１０はその全体が直線状であるが、一部に湾曲状、又は屈曲状の部分を含んでいてもよい。図２のように保持部１０の全体を直線状に構成することで、ブラシ部１１及び連結部１２を強固に支持でき、また、ブラシ部１１を振動させるときに、振動源からの振動の減衰を抑制することができる。さらに好ましくは、保持部１０は伸縮自在とする。保持部１０を伸縮自在とすることで、空気調和機のドレンパン１の高さ位置に応じて、ブラシ部１１の位置を調整することができる。
【００１７】
保持部１０の材料としては、特に限定されないが、金属、具体的にはステンレス材、鋼材、ステンレス鋼材、銅材、鉄材などを用いることができる。また保持部１０の他の材料として、合成樹脂、具体的にはポリエチレン樹脂、ポリプロピレン樹脂、塩化ビニル樹脂、ＡＢＳ樹脂などを用いることもできる。好ましくは、他の材料よりも強度があり振動の減衰を極力抑制できる金属製のワイヤー状のスレンレス鋼材がよい。
【００１８】
持ち手部１４は、作業者に片手もしくは両手で把持された状態で、ブラシ部１１、連結部１２、保持部１０を支持する機能を備える。持ち手部１４の形状は、作業者が片手もしくは両手で持ちやすければ特に限定しないが、好ましくは片手で握れる大きさの円筒状がよい。持ち手部１４の材料は、作業者が片手もしくは両手で持った状態で、ブラシ部１１、連結部１２及び保持部１０を支持する強度を備えていれば特に限定しないが、好ましくは作業者が持ちやすく軽量である木がよい。
【００１９】
ブラシ部１１は、ドレンパン溝３に付着した汚れを剥離させるための部材である。図３は、実施の形態１に係るブラシ部１１の構成例を説明する図である。図３に示すようにブラシ部１１は、芯材１１１と、芯材１１１から突出し洗浄対象の表面を擦るブラシ１１２とを有する。
【００２０】
ブラシ部１１の全体的な形状としては、直線状、湾曲状、又は屈曲状などを採用することができる。ブラシ部１１の好ましい形状は直線状であり、このようにすることで振動源からの振動の減衰を抑制することができる。また、ドレンパン溝３などの洗浄対象が比較的広い面と狭い面を有している場合でもその双方を洗浄できるように、ブラシ部１１の形状及び大きさを決めるとよい。
【００２１】
図３に例示する芯材１１１は、直線状の棒である。芯材１１１に対するブラシ１１２の突出方向は、芯材１１１の延びる方向に対して垂直方向、斜め方向、平行方向などとすることができる。ブラシ１１２の突出方向はこれらに限定されず、ブラシ１１２を洗浄対象に接地させることができるようにすればよい。好ましくは、芯材１１１の延びる方向に対して垂直方向にブラシ１１２を突出させるのがよく、このようにすることで洗浄対象であるドレンパン溝３の表面にブラシ１１２をより接地させやすい。
【００２２】
芯材１１１の周方向に対してブラシ１１２を設ける範囲は、芯材１１１の周方向の一部あるいは全部とすることができる。好ましくは、芯材１１１の周方向の全体からブラシ１１２を突出させるのがよく、このようにすることでブラシ１１２を洗浄対象の広い面に接地させることができる。
【００２３】
芯材１１１の軸方向に対してブラシ１１２が設けられる範囲は、特に限定されないが、芯材１１１のより長い範囲にブラシ１１２を設けるとよい。このようにすることで、一度に洗浄対象を洗浄できる範囲を広くすることができる。さらに好ましくは、ブラシ部１１の全体を観察した状態におけるブラシ部１１の長手方向の先端部１１ａから、振動部１３接するあるいは実質的に振動部１３との間に隙間が生じないような位置まで、ブラシ１１２を設けるとよい。このようにすることで、ブラシ１１２が緩衝材となり、振動部１３によって生じた振動によって芯材１１１あるいは連結部１２がドレンパン１に接触して、接触した部分が互いに損傷を受けるのを抑制することができる。
【００２４】
ブラシ１１２の材料は、金属、具体的には真鍮線、ステンレス線、鋼線、鉄線などとすることができるほか、合成樹脂、具体的にはポリプロピレン線、ナイロン線などとすることもできるし、天然繊維、具体的には豚毛、馬毛、山羊毛などとすることもできる。ブラシ１１２の材料は、乾燥あるいは湿潤した汚れを剥離させることができれば特に限定されないが、洗浄対象であるドレンパン溝３の表面を傷つけずに汚れを剥離させ安価で丈夫な樹脂製のポリプロピレン線、又はナイロン線が好ましい。
【００２５】
芯材１１１の形状は、直線状、湾曲状、屈曲状などとすることができるが、好ましくは直線状が良い。芯材１１１を直線状とすることで、振動源からの振動をブラシ１１２に伝搬しやすい。芯材１１１の材料は、金属、具体的にはステンレス材、鋼材、ステンレス鋼材、銅材、鉄材などとすることができるほか、合成樹脂、具体的にはポリエチレン樹脂、ポリプロピレン樹脂、塩化ビニル樹脂、ＡＢＳ樹脂などとすることもできる。芯材１１１の材料は、ブラシ１１２を固定できれば特に限定されないが、好ましくは強度があり振動の減衰を抑制できるステンレス鋼材のワイヤーがよい。
【００２６】
連結部１２は、一端がブラシ部１１に接続され、他端が保持部１０に接続されており、ブラシ部１１と保持部１０とを連結する。より具体的には、連結部１２は、保持部１０の直線状の部分の延びる方向と交差する方向にブラシ部１１の先端部１１ａを向けて、保持部１０とブラシ部１１とを連結する。また、本実施の形態の連結部１２は、振動部１３から生じる振動を、ブラシ部１１へ伝搬する機能も有する。連結部１２は、保持部１０の延びる方向に交差する方向にブラシ部１１の先端部１１ａを向けてブラシ部１１と保持部１０とを連結でき、また、ドレンパン１の内部に挿入されたブラシ部１１を洗浄対象に接地させることのできる形状である。連結部１２は、その少なくとも一部に、保持部１０の直線状の部分と交わる方向に延びる部分を有する。連結部１２の全体形状は、湾曲状あるいは屈曲状とすることができるが、好ましくは振動源からの振動の減衰を抑制できる湾曲状がよい。連結部１２が屈曲状の部分を含んでいる場合、曲がった箇所で振動源からの振動の一部が跳ね返って振動を減衰させるため、屈曲状の部分は少ないほうがよい。
【００２７】
連結部１２の材料は、金属、具体的にはステンレス材、鋼材、ステンレス鋼材、銅材、鉄材などとすることができるほか、合成樹脂、具体的にはポリエチレン樹脂、ポリプロピレン樹脂、塩化ビニル樹脂、ＡＢＳ樹脂などとすることもできる。好ましくは、他の材料よりも強度があり振動の減衰を抑制できる金属製のワイヤー状のスレンレス鋼材がよい。
【００２８】
ここで、保持部１０及びブラシ部１１の向きの具体例を説明する。図４は、実施の形態１に係る保持部１０、ブラシ部１１及び連結部１２の構成例を示す図である。図４に示す一点鎖線Ｘは、保持部１０の直線状に延びる方向に平行な線である。図４に示す一点鎖線Ｙは、ブラシ部１１の先端部１１ａの向く方向に平行な線である。なお、ブラシ部１１の先端部１１ａの向く方向とは、先端部１１ａとその反対側の端部である基端部１１ｂとを結ぶ方向をいう。連結部１２は、一点鎖線Ｘと一点鎖線Ｙとが交差するようにして、保持部１０とブラシ部１１とを連結する。
【００２９】
図４に例示した４種類のブラシ部１１は、ブラシ部１１を構成する芯材１１１及びブラシ１１２の形状は互いに異なるが、いずれもその先端部１１ａが保持部１０の延びる方向と交差する方向に向くようにして、連結部１２に固定されている。
【００３０】
振動部１３は、ブラシ部１１を振動させる機能を有する。図５は、実施の形態１に係る振動部１３の構成例を説明する図である。振動部１３は、振動を発振する発振部１３１と、発振部１３１に電源を供給する電源部１３２と、発振部１３１と電源部１３２とを電気接続する電気配線１３３とを有する。
【００３１】
振動部１３の発振部１３１は、振動を発振できる機器、例えば圧電素子、セラミック振動子、水晶振動子、振動モーターなどで構成される。好ましくは、発振部１３１は、乾電池又は１００〜１１０Ｖコンセントからの電力供給で動作し、１０００〜２００００ｒｐｍの回転数を有する小型で軽量の振動モーターである。発振部１３１を小型にすることで、ブラシ部１１とともに吹出口２を介してドレンパン１の内部に挿入することができる。一般的にドレンパン１の吹出口２の幅は１０ｃｍ以内であるため、発振部１３１はこの吹出口２の幅の範囲内の大きさとするのがよい。
【００３２】
発振部１３１のオンとオフとを切り替えるＯＮ／ＯＦＦスイッチの位置は、特に限定されないが、持ち手部１４、又は保持部１０の持ち手部１４に近い手の届く範囲がよい。このようにすることで、洗浄装置１００を使用する作業者の操作の利便性を向上させることができる。
【００３３】
電源部１３２は、発振部１３１に動力を供給する機器である。具体的には、電源部１３２は例えば、発振部１３１と電気配線１３３で接続されて、乾電池又は１００〜１１０Ｖコンセントから電力供給できるのが好ましい。
【００３４】
振動部１３の発振部１３１の設置位置は、発振部１３１からの振動をブラシ部１１へ伝搬できれば、洗浄装置１００のどの位置であってもよい。たとえば、保持部１０に発振部１３１を設けてもよい。好ましい態様としては、ブラシ部１１と隣接しており振動の減衰を抑制できる連結部１２に、発振部１３１を設けるのがよい。さらに好ましくは、振動部１３の発振部１３１の位置は、ブラシ部１１に極力近い連結部１２であって、洗浄装置１００の使用状態においてドレンパン１に接触しにくい位置がよい。また、ブラシ部１１の芯材１１１あるいは連結部１２を筒状部材で構成し、この筒状部材の中に発振部１３１を設置してもよい。また、ドレンパン１及びドレンパン溝３の形状は、空気調和機の機種によって異なるため、振動部１３の発振部１３１の固定位置を変更できるような治具を介して、振動部１３を洗浄装置１００の連結部１２などに取り付けるのがよい。この治具は、例えば連結部１２に対して発振部１３１を脱着可能な結束紐と固定具とで構成することができる。
【００３５】
保持部１０、連結部１２及びブラシ部１１の芯材１１１を、個別の部材で構成し、接続部材を介して互いに脱着できるようにしてもよい。このようにすることで、例えば長さ又は形状の異なる保持部１０、連結部１２及びブラシ部１１を組み合わせて、ドレンパン１の設置位置及び形状に応じた態様の洗浄装置１００を構成することができる。あるいは、保持部１０、連結部１２及びブラシ部１１の芯材１１１を、一繋がりの部材で構成してもよい。このようにすることで、振動源からの振動の減衰を抑制することができる。
【００３６】
（洗浄装置を用いた洗浄方法）
次に、洗浄装置１００を用いたドレンパン１の内部の洗浄方法を説明する。本実施の形態の洗浄方法は、ドレンパン１の外側、すなわちドレンパン１が設置された状態においてはドレンパン１の下側から、洗浄装置１００のブラシ部１１を、吹出口２からドレンパン１の内部に挿入する工程を有する。ブラシ部１１をドレンパン１の内部に挿入すると、図１に示す状態になる。作業者は、把持した持ち手部１４を操作して、ブラシ部１１を、洗浄対象であるドレンパン溝３の表面に接地させる。また本実施の形態の洗浄方法は、ドレンパン１の内部に挿入されたブラシ部１１を振動させる工程を含む。作業者が保持部１０を振ってブラシ部１１を振動させてもよいし、振動部１３を動作させてブラシ部１１を振動させてもよい。すなわち、ブラシ部１１の振動源は、作業者であってもよいし振動部１３であってもよい。
【００３７】
ブラシ部１１を振動させると、ドレンパン溝３の表面をブラシ部１１が擦り、ドレンパン溝３に付着した汚れを剥離させることができる。
【００３８】
このように本実施の形態によれば、ドレンパン１を空気調和機の室内側装置から取り外すことなく、室内側装置の内部にあるドレンパン溝３の汚れを洗浄することができる。このため、ドレンパン１を室内側装置から取り外す作業工程が不要となり、洗浄の作業時間を短縮できる。また、特許文献１のように水圧を利用して汚れを剥離させる態様と比較して、漏水の可能性も低減できる。
【００３９】
また、本実施の形態では、振動部１３を、ブラシ部１１と保持部１０とを連結する連結部１２に設置した。このため、振動部１３が生じさせた振動がブラシ部１１に伝わるまでの振動の減衰を抑制でき、高い洗浄力を維持することができる。
【００４０】
（実施例１）
次に、図１、２に例示した洗浄装置１００の実施例１を説明する。実施例１における洗浄装置１００の構成要素の詳細を以下に記す。ブラシ部１１のブラシ１１２はナイロン製で、芯材１１１はステンレス鋼材で構成されたねじりワイヤーである。ブラシ１１２は芯材１１１の全体を円筒状に覆っており、ブラシ部１１のブラシ１１２部分の外径はφ１０ｍｍである。また、ブラシ１１２は、連結部１２に取り付けられた振動部１３の発振部１３１の直前の位置、すなわち発振部１３１に実質的に接触する位置まで設けられている。
【００４１】
連結部１２は、ステンレス鋼材のねじりワイヤーを芯材とし、この芯材をＵ字に湾曲させた。保持部１０の形状は直線状であり、ステンレス鋼材のねじりワイヤーを芯材とした。持ち手部１４は、外径φ３０ｍｍ、長さ１００ｍｍの円筒状の木製であり、その中心部に保持部１０の芯材を固定した。また、ブラシ部１１、連結部１２、保持部１０の各芯材を一連の部材とした。
【００４２】
振動部１３の発振部１３１は、直流電圧１２Ｖ、回転数５０００ｒｐｍで動作する偏心型振動モーターである。湾曲した連結部１２の最上部に、振動部１３の発振部１３１を固定した。振動部１３の電源に用いた乾電池式バッテリー及び発振部１３１のＯＮ／ＯＦＦスイッチは、保持部１０と持ち手部１４との結合部に固定した。
【００４３】
次に、実施例１に係る洗浄装置１００の動作及び作用を説明する。洗浄装置１００のブラシ部１１と、振動部１３が固定された連結部１２とを、天井カセット形四方向吹き出し業務用エアコンの室内側装置にある吹出口２の一つに挿入した。ブラシ部１１のブラシ１１２がドレンパン溝３に接地したことを確認後、発振部１３１のＯＮ／ＯＦＦスイッチをＯＮにして、吹出口２が形成されたドレンパン１の一辺に沿って２分間持ち手部１４を動かした。その後、他の吹出口２が形成されたドレンパン１の三辺に沿ったドレンパン溝３も同様に処理した。
【００４４】
その結果、ドレンパン溝３が一体に形成されたドレンパン１を室内側装置から取り外さずに、ドレンパン溝３に付着した汚れを剥離させることができた。また、振動部１３を連結部１２の最上部に固定することで、ドレンパン１の内部のドレンパン溝３以外の部位に振動部１３が接触することなく、かつ振動部１３からの振動の減衰を抑制できたため、ドレンパン溝３に固着した汚れも剥離させることができた。
【００４５】
上述したような実施例１を含め本実施の形態に係る洗浄装置１００は、ブラシ部１１をドレンパン１の吹出口２から挿入してドレンパン１内部を洗浄する機能を有する。このため、ドレンパン１を取り外さずにドレンパン１に付着した汚れを剥離できる。したがって、ドレンパン溝３を取り外す作業工程が不要となり、洗浄の作業時間を短縮できる。また、振動部１３をブラシ部１１と保持部１０との間を連結する湾曲状の連結部１２に設置したため、振動の減衰を抑制して高い洗浄力を維持できる。またブラシ部１１のブラシ１１２が、連結部１２の芯材の一部を被覆して振動部１３と接触する位置まで設けられていて、振動部１３が連結部１２の最上部に固定されている。このため、ブラシ部１１の芯材１１１及び連結部１２の芯材とドレンパン１内のドレンパン溝３以外の部材との接触を防ぎ各部材の損傷を防止できる。
【００４６】
実施の形態２．
本実施の形態の洗浄装置１００Ａは、実施の形態１で示した構成に加えて、回収装置１５を備える。ここで、本実施の形態以降では、説明の都合上、保持部１０、ブラシ部１１、連結部１２、振動部１３及び持ち手部１４を、振動ブラシ装置２０と総称する。本実施の形態では実施の形態１との相違点を中心に説明する。
【００４７】
図６は、実施の形態２に係る洗浄装置１００Ａの構成及び使用状態を説明する図である。洗浄装置１００Ａは、振動ブラシ装置２０に加え、ドレンパン１の内部のドレンパン溝３の上の汚れを回収するための装置である回収装置１５を備える。回収装置１５は、吸引チューブ１５１と、吸引チューブ１５１の先端に吸引力を生じさせる吸引部１５２とを有する。なお、振動ブラシ装置２０は、実施の形態１で説明したとおりの構成である。
【００４８】
吸引チューブ１５１は、ドレンパン１内に挿入されたときにドレンパン溝３の表面に接触できるように、その先端部分が湾曲あるいは屈曲している。好ましくは、吸引チューブ１５１は、作業者が曲げることができ、かつ作業者が再度変形させるまで曲げられた状態を保持できる材料で構成される。吸引チューブ１５１は、可撓性を有する細かな節が連なる、ステンレス鋼などの金属あるいはポリイミド樹脂などの合成樹脂で構成することができる。
【００４９】
吸引部１５２は、吸引チューブ１５１に接続され吸引チューブ１５１の先端に吸引力を生じさせる吸引ポンプを有する。本実施の形態の吸引部１５２はさらに、吸引した物体を溜める容器を有する。吸引ポンプは、乾燥あるいは湿潤した汚れを吸引できるものである。好ましくは、吸引ポンプは、乾電池又は１００Ｖ電源で動作し、乾湿両用の小型で軽量な家庭用又は業務用の吸引力を有する。吸引部１５２の容器は、少なくとも１つのドレンパン溝３からの汚れを収納できる容積があり、吸引ポンプと脱着でき、また、内部に溜めた物体を廃棄するための開口を有している。好ましくは、持ち運びに便利なように、容積１０Ｌ以下で軽重量な樹脂、具体的にはポリエチレン樹脂、ポリプロピレン樹脂、塩化ビニル樹脂、ＡＢＳ樹脂などの材料で、吸引部１５２の容器が構成される。
【００５０】
吸引チューブ１５１の一端から吸引された汚れは、吸引チューブ１５１の他端が接続された吸引部１５２の吸引ポンプを介して容器内に収容される。吸引チューブ１５１の一端は、ドレンパン１の吹出口２から挿入されてドレンパン溝３に接地するため、吸引チューブ１５１の一端の近傍は湾曲又は屈曲しているのが好ましい。あるいは、直線状の吸引チューブ１５１でもよい。この場合には、蓋が開けられたドレン口４に、ドレン口４の径に合う継手を用いて、吸引チューブ１５１を接続する。
【００５１】
本実施の形態では、好ましい態様として、振動ブラシ装置２０の保持部１０と吸引チューブ１５１とを固定する固定治具１６を備えている。固定治具１６によって固定された吸引チューブ１５１及び保持部１０は、作業者によって一体として操作され、吸引チューブ１５１とブラシ部１１とが同時に吹出口２からドレンパン１の内部へと挿入される。吸引チューブ１５１とブラシ部１１とを一緒にドレンパン１の内部に挿入することができるので、作業性を向上させることができる。なお、固定治具１６を設けなくてもよい。その場合には、吸引チューブ１５１とブラシ部１１とが別々に吹出口２からドレンパン１の内部へと挿入される。
【００５２】
吸引部１５２の吸引ポンプのオンとオフとを切り替えるＯＮ／ＯＦＦスイッチの位置は、特に限定されないが、例えば吸引部１５２のいずれかの部位とすることができる。好ましくは、振動部１３の発振部１３１のＯＮ／ＯＦＦスイッチと隣接した位置に吸引ポンプのＯＮ／ＯＦＦスイッチを設ける。このようにすることで、振動ブラシ装置２０と回収装置１５の両方を作業するときの操作性を高めることができる。あるいは、発振部１３１と吸引ポンプとで同じＯＮ／ＯＦＦスイッチを用いてもよい。このようにすることで、振動ブラシ装置２０と回収装置１５とを連動させることができ、作業性を高めることができる。
【００５３】
このように本実施の形態によれば、実施の形態１で示した作用効果に加え、ドレンパン１を室内側装置から取り外すことなく、ドレンパン１の内部にあるドレンパン溝３の汚れを回収することもできる。このため、ドレンパン１を室内側装置から取り外す作業工程が不要となり、洗浄の作業時間を短縮できる。
【００５４】
（実施例２）
次に、図６に例示した洗浄装置１００Ａの実施例２を説明する。実施例２の振動ブラシ装置２０を構成する要素は、実施例１と同じである。
【００５５】
回収装置１５の吸引チューブ１５１には、内径φ１２ｍｍのポリプロピレン樹脂製のフレキシブルホースを用い、固定冶具で振動ブラシ装置２０の保持部１０に固定した。またフレキシブルホースの一端は、Ｕ字形状にした。
【００５６】
吸引部１５２の吸引ポンプには、乾湿両用で動作電力約２００Ｗのものを用いた。吸引ポンプのＯＮ／ＯＦＦスイッチは、振動ブラシ装置２０の振動部１３のＯＮ／ＯＦＦスイッチと連動させた。吸引部１５２の容器には、容積５Ｌのポリ容器を用いた。
【００５７】
次に、実施例２に係る洗浄装置１００Ａの動作及び作用を説明する。洗浄装置１００Ａの振動ブラシ装置２０のブラシ部１１と、回収装置１５の吸引チューブ１５１の一端とを、天井カセット形四方向吹き出し業務用エアコンの室内側装置にある吹出口２の一つに挿入した。振動ブラシ装置２０のブラシ部１１と、吸引チューブ１５１の一端とがドレンパン溝３に接地したことを確認後、発振部１３１及び吸引部１５２の吸引ポンプのＯＮ／ＯＦＦスイッチをＯＮにした。続けて、吹出口２が形成されたドレンパン１の一辺に沿って２分間持ち手部１４を動かした。その後、他の吹出口２が形成されたドレンパン１の三辺に沿ったドレンパン溝３も同様に処理した。
【００５８】
その結果、ドレンパン溝３が一体に形成されたドレンパン１を室内側装置から取り外さずに、ドレンパン溝３に付着した汚れを剥離させ、剥離させた汚れを吸引部１５２で回収することができた。
【００５９】
上述したような実施例２を含め本実施の形態に係る洗浄装置１００Ａは、振動ブラシ装置２０の一部をドレンパン１の吹出口２から挿入してドレンパン１の内部を洗浄する機能を有する。また、洗浄装置１００Ａは、回収装置１５の一部をドレンパン１の吹出口２から挿入して、振動ブラシ装置２０で剥離させた汚れを回収する機能を有する。このため、洗浄対象であるドレンパン１を室内側装置から取り外さずに、ドレンパン溝３に付着した汚れを剥離させることができるとともに、剥離させた汚れを回収することができる。したがって、ドレンパン１を取り外す作業工程が不要となり、洗浄の作業時間を短縮できる。
【００６０】
実施の形態３．
本実施の形態の洗浄装置１００Ｂは、実施の形態２で示した構成に加えて、給水装置１７を備える。本実施の形態では実施の形態２との相違点を中心に説明する。
【００６１】
図７は、実施の形態３に係る洗浄装置１００Ｂの構成及び使用状態を説明する図である。洗浄装置１００Ｂは、振動ブラシ装置２０及び回収装置１５に加え、ドレンパン１の内部に水を供給するための装置である給水装置１７を備える。給水装置１７は、給水チューブ１７１と、給水チューブ１７１に水を送出する給水部１７２とを有する。なお、振動ブラシ装置２０は実施の形態１で説明したとおりの構成であり、回収装置１５は実施の形態２で説明したとおりの構成である。
【００６２】
給水チューブ１７１は、水をドレンパン１内のドレンパン溝３に搬送するための流路を内部に有する管である。好ましくは、給水チューブ１７１は、作業者が曲げることができ、かつ作業者が再度変形させるまで曲げられた状態を保持できる材料で構成される。給水チューブ１７１は、可撓性を有する細かな節が連なる、ステンレス鋼などの金属あるいはポリイミド樹脂などの合成樹脂で構成することができる。
【００６３】
給水チューブ１７１の一端は、ドレンパン１内に挿入されたときにドレンパン溝３の表面に接触できるように、湾曲あるいは屈曲している。好ましくは、給水チューブ１７１の一端側の先端に、給水チューブ１７１の内径を変更できるノズルを備える。このようなノズルを備えることで、給水チューブ１７１から供給される水の圧力を異ならせることができるため、高圧水を供給したり噴霧化した水を供給したりといったことが可能になる。
【００６４】
給水部１７２は、水を送出するポンプを有する。本実施の形態の給水部１７２はさらに、水を溜める容器を有する。容器に溜められた水をポンプで送出することで、給水部１７２から給水チューブ１７１に水が供給される。容器に溜められる水は特に限定されないが、メンテナンス作業時に入手しやすい水道水が好ましい。給水部１７２のポンプは、１００Ｖ電源又は乾電池で動作する小型で軽量のものが好ましい。ポンプの水供給流量は、供給した水がドレンパン溝３から飛散しないように、０Ｌ／ｍｉｎより多く１０Ｌ／ｍｉｎ以下が好ましい。給水部１７２の容器は、少なくとも１つのドレンパン溝３の汚れを剥離もしくはドレン口４に集めることのできる水を収容できる容積があり、ポンプと脱着できる。好ましくは、持ち運びに便利なように、容積１０Ｌ以下で軽重量のポリエチレン樹脂、ポリプロピレン樹脂、塩化ビニル樹脂、ＡＢＳ樹脂などの合成樹脂で、給水部１７２の容器が構成される。
【００６５】
給水チューブ１７１の他端は、給水部１７２のタンクに接続されている。給水部１７２のタンク内の水は、ポンプによって給水チューブ１７１の他端から給水チューブ１７１内に入り、給水チューブ１７１の一端からドレンパン溝３に供給される。
【００６６】
本実施の形態では、好ましい態様として、振動ブラシ装置２０の保持部１０と給水チューブ１７１とを固定する固定治具１６を備えている。固定治具１６によって固定された給水チューブ１７１及び保持部１０は、作業者によって一体として操作され、給水チューブ１７１とブラシ部１１とが同時に吹出口２からドレンパン１の内部へと挿入される。給水チューブ１７１とブラシ部１１とを一緒にドレンパン１の内部に挿入することができるので、作業性を向上させることができる。なお、固定治具１６を設けなくてもよい。その場合には、給水チューブ１７１とブラシ部１１とが別々に吹出口２からドレンパン１の内部へと挿入される。
【００６７】
給水部１７２のポンプのオンとオフとを切り替えるＯＮ／ＯＦＦスイッチの位置は、特に限定されないが、例えば給水部１７２のいずれかの部位とすることができる。好ましくは、振動部１３の発振部１３１のＯＮ／ＯＦＦスイッチと隣接した位置にポンプのＯＮ／ＯＦＦスイッチを設ける。このようにすることで、振動ブラシ装置２０と給水装置１７の両方を作業するときの操作性を高めることができる。あるいは、発振部１３１とポンプとで同じＯＮ／ＯＦＦスイッチを用いてもよい。このようにすることで、振動ブラシ装置２０と給水装置１７とを連動させることができ、作業性を高めることができる。
【００６８】
図７に例示した洗浄装置１００Ｂの使用状態においては、回収装置１５の吸引チューブ１５１は、ドレンパン溝３のドレン口４の周辺に設置されている。このようにすることで、ドレンパン溝３の上を流れてドレン口４に集まった汚れ及び水を吸引することができる。このような態様のほか、回収装置１５の吸引チューブ１５１を、振動ブラシ装置２０の一部あるいは給水チューブ１７１に固定してもよい。
【００６９】
このように本実施の形態によれば、実施の形態２で示した作用効果に加え、ドレンパン１を室内側装置から取り外すことなく、ドレンパン１の内部にあるドレンパン溝３の汚れを水を用いて剥離させることができる。また、同じくドレンパン１を取り外すことなく、剥離した汚れをドレン口４などの特定の箇所に集めることができる。また、回収装置１５の吸引チューブ１５１の一端をドレン口４の近傍に接地させて汚れ及び水を吸引することで、ドレンパン溝３の洗浄によって生じた水及び汚れを回収することができる。このため、ドレンパン１を室内側装置から取り外す作業工程が不要となり、洗浄の作業時間を短縮できる。
【００７０】
（実施例３）
次に、図７に例示した洗浄装置１００Ｂの実施例３を説明する。実施例３の振動ブラシ装置２０を構成する要素は、実施例１と同じである。実施例３の回収装置１５を構成する要素は、実施例２と同じである。
【００７１】
給水装置１７の給水チューブ１７１には、内径φ６ｍｍのアルミチューブを用い、固定冶具で振動ブラシ装置２０の保持部１０に固定した。またアルミチューブの一端をＵ字形状とし、その先端には水噴射が可能な口径可変ノズルを設置した。
【００７２】
給水部１７２のポンプは、乾電池を電力源とし、水流量２００ｍＬ／ｍｉｎで水を供給する。給水部１７２のポンプのＯＮ／ＯＦＦスイッチは、振動ブラシ装置２０の振動部１３のＯＮ／ＯＦＦスイッチ及び吸引部１５２の吸引ポンプのＯＮ／ＯＦＦスイッチと連動させた。給水部１７２の容器には、容積５Ｌのポリ容器を用いた。供給水として水道水をポリ容器に５Ｌ入れた。
【００７３】
次に、実施例３に係る洗浄装置１００Ｂの動作及び作用を説明する。洗浄装置１００Ｂの振動ブラシ装置２０のブラシ部１１と、給水装置１７の給水チューブ１７１の一端とを、天井カセット形四方向吹き出し業務用エアコンの室内側装置にある吹出口２の一つに挿入した。また、回収装置１５の吸引チューブ１５１の一端を、ドレン口４に近い吹出口２に挿入し、吸引チューブ１５１の一端をドレン口４の上に設置した。振動ブラシ装置２０のブラシ部１１と、給水チューブ１７１の一端とがドレンパン溝３に接地したこと、及び吸引チューブ１５１の一端がドレン口４の上に設置されたことを確認後した。続けて、発振部１３１及び給水部１７２のポンプのＯＮ／ＯＦＦスイッチをＯＮにして、吹出口２が形成されたドレンパン１の一辺に沿って２分間持ち手部１４を動かした。その後、吸引チューブ１５１の一端をドレン口４の上に設置した状態のまま、振動ブラシ装置２０と給水装置１７を用いて、他の吹出口２が形成されたドレンパン１の三辺に沿ったドレンパン溝３も同様に処理した。
【００７４】
その結果、ドレンパン溝３が一体に形成されたドレンパン１を室内側装置から取り外さずに、ドレンパン溝３に付着した汚れを剥離させ、剥離させた汚れをドレン口４に集め、また集めた汚れを回収装置１５で回収することができた。
【００７５】
上述したような実施例３を含め本実施の形態に係る洗浄装置１００Ｂは、振動ブラシ装置２０の一部をドレンパン１の吹出口２から挿入してドレンパン１の内部を洗浄する機能を有する。また、洗浄装置１００Ｂは、給水装置１７の一部をドレンパン１の吹出口２から挿入して、水を供給する機能を有する。また、洗浄装置１００Ｂは、回収装置１５の一部をドレンパン１の吹出口２から挿入して、振動ブラシ装置２０で剥離させた汚れ及び水を回収する機能を有する。このため、洗浄対象であるドレンパン１を室内側装置から取り外さずに、ドレンパン溝３に付着した汚れを剥離させ、剥離させた汚れを特定の箇所に集め、集めた汚れを回収することができる。したがって、ドレンパン１を取り外す作業工程が不要となり、洗浄の作業時間を短縮できる。
【００７６】
実施の形態４．
本実施の形態の洗浄装置１００Ｃは、実施の形態３で示した構成に加えて、観察装置１８を備える。本実施の形態では実施の形態３との相違点を中心に説明する。
【００７７】
図８は、実施の形態４に係る洗浄装置１００Ｃの構成及び使用状態を説明する図である。洗浄装置１００Ｃは、振動ブラシ装置２０、回収装置１５及び給水装置１７に加え、作業者が室内側装置の内部を外部から観察するための装置である観察装置１８を備える。観察装置１８は、撮影装置であるカメラ１８１と、カメラ１８１で撮影した映像を映し出すモニタ１８２とを備える。なお、振動ブラシ装置２０は実施の形態１で説明したとおりの構成であり、回収装置１５は実施の形態２で説明したとおりの構成であり、給水装置１７は実施の形態３で説明したとおりの構成である。
【００７８】
本実施の形態のカメラ１８１は、全体として細長い形状の支持体の一端に、撮影素子が取り付けられて構成されている。カメラ１８１は、水に濡れても作動できるように防水機能を備えているのが好ましい。また、カメラ１８１は、その一端において光を照射できる機能を備えているのが好ましい。さらに、カメラ１８１の撮像素子を支持する支持体は、作業者が曲げることができ、かつ作業者が再度変形させるまで曲げられた状態を保持できる材料のホースで構成されるのが好ましい。撮像素子が内蔵されたカメラ１８１の先端はドレンパン１の吹出口２に挿入されるため、小型かつ軽量であるとよい。好ましくは、カメラ１８１の先端の外径は、φ１０ｍｍ以下である。カメラ１８１の支持体の内部には、撮影素子が出力する映像信号を送る信号線が内蔵されており、この信号線は支持体の他端とともにモニタ１８２に接続されている。
【００７９】
モニタ１８２は、カメラ１８１から出力される映像信号をリアルタイムに画像として映し出す装置である。モニタ１８２は、小型かつ軽量であり、また乾電池で動作できるのが好ましい。例えば、モニタ１８２は、２インチから４インチの液晶モニタである。
【００８０】
本実施の形態では、好ましい態様として、振動ブラシ装置２０の保持部１０と給水チューブ１７１とカメラ１８１とを固定する固定治具１６を備えている。固定治具１６によって固定された給水チューブ１７１、保持部１０及びカメラ１８１は、作業者によって一体として操作され、給水チューブ１７１とブラシ部１１とカメラ１８１とが同時に吹出口２からドレンパン１の内部へと挿入される。給水チューブ１７１とブラシ部１１とカメラ１８１とを一緒にドレンパン１の内部に挿入することができるので、作業性を向上させることができる。なお、固定治具１６を設けなくてもよい。その場合には、給水チューブ１７１とブラシ部１１とが別々に吹出口２からドレンパン１の内部へと挿入される。あるいは、カメラ１８１を、固定治具１６を用いて、振動ブラシ装置２０の保持部１０、回収装置１５の吸引チューブ１５１、給水装置１７の給水チューブ１７１のいずれか一つと固定してもよい。
【００８１】
観察装置１８の動作のオンとオフとを切り替えるＯＮ／ＯＦＦスイッチの位置は、特に限定されないが、例えばモニタ１８２のいずれかの部位とすることができる。好ましくは、振動部１３の発振部１３１のＯＮ／ＯＦＦスイッチと隣接した位置に観察装置１８のＯＮ／ＯＦＦスイッチを設ける。このようにすることで、振動ブラシ装置２０と観察装置１８の両方を作業するときの操作性を高めることができる。あるいは、発振部１３１と観察装置１８とで同じＯＮ／ＯＦＦスイッチを用いてもよい。このようにすることで、振動ブラシ装置２０と観察装置１８とを連動させることができ、作業性を高めることができる。また、観察装置１８のＯＮ／ＯＦＦスイッチを、回収装置１５又は給水装置１７のＯＮ／ＯＦＦスイッチの近傍に設ける、あるいはこれらのＯＮ／ＯＦＦスイッチと同じものを用いることもできる。
【００８２】
このように本実施の形態によれば、実施の形態３で示した作用効果に加え、ドレンパン１を室内側装置から取り外すことなく、ドレンパン１の内部にあるドレンパン溝３の汚れを外部から観察することができる。作業者は汚れの残存具合を観察しながらドレンパン１を洗浄することができるため、洗浄作業の無駄や不足を抑制できる。
【００８３】
（実施例４）
次に、図８に例示した洗浄装置１００Ｃの実施例４を説明する。実施例４の振動ブラシ装置２０を構成する要素は、実施例１と同じである。実施例４の回収装置１５を構成する要素は、実施例２と同じである。実施例４の給水装置１７を構成する要素は、実施例３と同じである。
【００８４】
観察装置１８のカメラ１８１には、カメラ口径φ８ｍｍの市販品を用いた。モニタ１８２は、市販品の３．５インチの液晶モニタを用いた。カメラ１８１は、固定治具１６を用いて振動ブラシ装置２０の保持部１０及び給水装置１７の給水チューブ１７１に固定した。カメラ１８１の撮像装置を支持する支持体の先端は、Ｕ字形状とした。観察装置１８のＯＮ／ＯＦＦスイッチは、振動部１３のＯＮ／ＯＦＦスイッチとは独立して操作できるスイッチとした。
【００８５】
次に、実施例４に係る洗浄装置１００Ｃの動作及び作用を説明する。洗浄装置１００Ｃの振動ブラシ装置２０のブラシ部１１と、給水装置１７の給水チューブ１７１の一端と、カメラ１８１とを、天井カセット形四方向吹き出し業務用エアコンの室内側装置にある吹出口２の一つに挿入した。また、回収装置１５の吸引チューブ１５１の一端を、ドレン口４に近い吹出口２に挿入し、吸引チューブ１５１の一端をドレン口４の上に設置した。
【００８６】
そして、観察装置１８のＯＮ／ＯＦＦスイッチをＯＮにして、ドレンパン溝３の一辺にある汚れの状況を観察した。その後、振動ブラシ装置２０のブラシ部１１と、給水チューブ１７１の一端とがドレンパン溝３に接地したこと、及び吸引チューブ１５１の一端がドレン口４の上に設置されたことを確認後した。続けて、発振部１３１と給水部１７２のポンプとを連動させるＯＮ／ＯＦＦスイッチをＯＮにして、吹出口２が形成されたドレンパン１の一辺に沿って２分間持ち手部１４を動かした。この際、観察装置１８で観察された特に汚れが多い箇所に対し、ブラシ部１１を当てるようにした。その後、吸引チューブ１５１の一端をドレン口４の上に設置した状態のまま、振動ブラシ装置２０と給水装置１７を用いて、他の吹出口２が形成されたドレンパン１の三辺に沿ったドレンパン溝３も同様に処理した。
【００８７】
その結果、ドレンパン溝３が一体に形成されたドレンパン１を室内側装置から取り外さずに、ドレンパン溝３に付着した汚れを剥離させ、剥離させた汚れをドレン口４に集め、また集めた汚れを回収装置１５で回収することができた。さらに、ドレンパン１を室内側装置から取り外さずに、洗浄後のドレンパン溝３の状態を、観察装置１８を用いて確認することができた。
【００８８】
上述したような実施例４を含め本実施の形態に係る洗浄装置１００Ｃは、振動ブラシ装置２０の一部をドレンパン１の吹出口２から挿入してドレンパン１の内部を洗浄する機能を有する。また、洗浄装置１００Ｃは、給水装置１７の一部をドレンパン１の吹出口２から挿入して、水を供給する機能を有する。また、洗浄装置１００Ｃは、回収装置１５の一部をドレンパン１の吹出口２から挿入して、振動ブラシ装置２０で剥離させた汚れ及び水を回収する機能を有する。また、洗浄装置１００Ｃは、観察装置１８の一部をドレンパン１の吹出口２から挿入して、室内側装置の内側にあるドレンパン溝３の状態を外側から観察する機能を有する。このため、洗浄対象であるドレンパン１を室内側装置から取り外さずに、ドレンパン溝３に付着した汚れを外部から観察することができる。そして、観察した結果に基づいて、ドレンパン溝３に付着した汚れを剥離させ、剥離させた汚れを特定の箇所に集め、集めた汚れを回収することができる。したがって、ドレンパン１を取り外す作業工程が不要となり、洗浄の作業時間を短縮できる。
【００８９】
本発明は、以上のように説明し且つ記述した特定の詳細、及び代表的な実施の形態に限定されるものではない。当業者によって容易に導き出すことのできる変形例、及び効果も本発明に含まれる。したがって、特許請求の範囲、及びその均等物によって定義される総括的な発明の概念の精神又は範囲から逸脱することなく、様々な変更が可能である。
【符号の説明】
【００９０】
１  ドレンパン、２  吹出口、３  ドレンパン溝、４  ドレン口、１０  保持部、１１  ブラシ部、１１ａ  先端部、１１ｂ  基端部、１２  連結部、１３  振動部、１４  持ち手部、１５  回収装置、１６  固定治具、１７  給水装置、１８  観察装置、２０  振動ブラシ装置、１００  洗浄装置、１００Ａ  洗浄装置、１００Ｂ  洗浄装置、１００Ｃ  洗浄装置、１１１  芯材、１１２  ブラシ、１３１  発振部、１３２  電源部、１３３  電気配線、１５１  吸引チューブ、１５２  吸引部、１７１  給水チューブ、１７２  給水部、１８１  カメラ、１８２  モニタ。
【図１】
2019155306.tif 000003
【図２】
2019155306.tif 000004
【図３】
2019155306.tif 000005
【図４】
2019155306.tif 000006
【図５】
2019155306.tif 000007
【図６】
2019155306.tif 000008
【図７】
2019155306.tif 000009
【図８】
2019155306.tif 000010